【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
タッチ作動可能なスクリーンと、
スワイプ動作の方向の違い、前記スワイプ動作の長さの違い、および前記スワイプ動作の幅の違いのうちの少なくとも１つを区別することも含めて、前記スクリーンの複数の領域を横切る前記スワイプ動作を検出することができるタッチ・スクリーン・プロセッサと、
第１のビデオ画像を選択的に前記スクリーンに供給し、複数のその他のビデオ画像のうちの少なくとも１つを選択的に前記スクリーンに供給するビデオ信号プロセッサと、を含み、
前記複数のその他のビデオ画像のうちの前記少なくとも１つが、前記スクリーンを横切るスワイプ動作が予め定められた範囲の前記方向、予め定められた範囲の前記長さおよび予め定められた範囲の前記幅で発生したのに応答して、予め定められた時間間隔の間だけ選択的に前記スクリーンに供給され、
前記スクリーンに供給される前記その他のビデオ画像が、前記第１のビデオ画像の一部分の代わりに表示される、ビデオ・ディスプレイのユーザ・インタフェース。
【請求項２】
前記タッチ・スクリーン・プロセッサが、前記スワイプ動作の方向の違い、前記スワイプ動作の長さの違い、および前記スワイプ動作の幅の違いのうちの少なくとも２つを区別することも含めて、前記スクリーンの複数の領域を横切る前記スワイプ動作を検出することができる、請求項１に記載のユーザ・インタフェース。
【請求項３】
前記タッチ・スクリーン・プロセッサが、前記スワイプ動作の方向の違い、前記スワイプ動作の長さの違い、および前記スワイプ動作の幅の違いのそれぞれを区別することも含めて、前記スクリーンの複数の領域を横切る前記スワイプ動作を検出することができる、請求項１に記載のユーザ・インタフェース。
【請求項４】
前記スクリーンに供給される前記その他のビデオ画像が、前記スワイプ動作の前記方向に概ね対応するスイープ動作によって前記第１のビデオ画像の前記一部分を押し出す、請求項１に記載のユーザ・インタフェース。
【請求項５】
前記時間間隔の最後に、前記スクリーンに供給される前記その他のビデオ画像が、前記スワイプ動作の前記方向と反対の方向に概ね対応するスイープ動作によって視野から消える、請求項２に記載のユーザ・インタフェース。
【請求項６】
前記スクリーンが、認識可能な辺を有し、前記スクリーンの各辺が、前記スワイプ動作のうちの少なくとも１つの始点である、請求項１に記載のユーザ・インタフェース。
【請求項７】
前記スクリーンの各辺が、前記スワイプ動作のうちの少なくとも２つの始点であり、
前記スワイプ動作の幅と前記スワイプ動作の方向の異なる組合せによって、前記スクリーンに選択的に供給される前記複数のその他のビデオ画像が変わる、請求項２に記載のユーザ・インタフェース。
【請求項８】
前記スクリーンの各辺が、前記スワイプ動作のうちの少なくとも３つの始点であり、
前記スワイプ動作の幅と前記スワイプ動作の方向の異なる組合せによって、前記スクリーンに選択的に供給される前記複数のその他のビデオ画像が変わる、請求項３に記載のユーザ・インタフェース。
【請求項９】
前記スクリーンが、ほぼ長方形であり、
前記スワイプ動作の幅と前記スワイプ動作の方向の前記異なる組合せによって、少なくとも８つの異なるビデオ・ソースのうちの何れか１つから選択された前記その他のビデオ画像を与えることができる、請求項８に記載のユーザ・インタフェース。
【請求項１０】
前記少なくとも８つの異なるビデオ・ソースを、前記スワイプ動作の幅と前記スワイプ動作の方向の少なくとも８つの異なる組合せに割り当てることができる、請求項８に記載のユーザ・インタフェース。
【請求項１１】
スワイプ動作の最後に予め定められた時間間隔の間だけ前記スクリーンに対する押圧を維持することにより、前記第１のビデオ画像が前記その他のビデオ画像で置き換えられる、請求項１に記載のユーザ・インタフェース。
【請求項１２】
前記スクリーン上で前記その他のビデオ画像のうちの１つの表示を開始するのに必要な長さより長いスワイプ動作により、前記第１のビデオ画像が前記その他のビデオ画像のうちの前記１つで置き換えられる、請求項３に記載のユーザ・インタフェース。
【請求項１３】
タッチ作動可能なスクリーンを有するビデオ・ディスプレイを制御する方法であって、
前記スクリーン上に第１のビデオ画像を表示するステップと、
前記スクリーンの第１の領域を横切るスワイプ動作を検出するステップと、
前記スワイプ動作の可能性として考えられる異なる起点、前記スワイプ動作の可能性として考えられる異なる方向、および前記スワイプ動作の可能性として考えられる異なる幅を区別するステップと、
前記区別するステップに応答して複数のその他のビデオ画像のうちの少なくとも１つを選択するステップと、
前記選択したビデオ画像を、予め定められた時間間隔の間だけ前記第１のビデオ画像の一部分の代わりに前記スクリーンに供給するステップと、
前記時間間隔の満了時に前記供給ステップを終了するステップと、を含む、方法。
【請求項１４】
前記スワイプ動作の少なくとも１つの長さの範囲を区別するステップをさらに含む、請求項１３に記載の方法。
【請求項１５】
前記スワイプ動作の少なくとも１つの長さの範囲を区別する前記ステップが、
第１の長さの前記スワイプ動作が第１の長さの範囲内で起こったのを検出したのに応答して、前記供給するステップを開始すること、および
第２の長さの前記スワイプ動作が前記第１の範囲を除く第２の長さの範囲内で起こったのを検出したのに応答して、前記第１のビデオ画像を前記選択したビデオ画像で置き換えることを含む、請求項１４に記載の方法。
【請求項１６】
前記スワイプ動作以外のユーザ入力を検出したのに応答して、前記第１のビデオ画像を前記選択したビデオ画像で置き換えるステップを含む、請求項１３に記載の方法。
【請求項１７】
前記供給するステップが、前記スワイプ動作の前記方向に概ね対応する方向に前記選択したビデオ画像を移動させることによって、前記第１のビデオ画像の前記一部分を徐々に置換するステップをさらに含む、請求項１３に記載の方法。
【請求項１８】
前記終了するステップが、前記スワイプ動作の前記方向とほぼ反対の方向に前記選択したビデオ画像を移動させることによって、前記選択したビデオ画像を前記第１のビデオ画像の前記一部分で徐々に置換するステップを含む、請求項１３に記載の方法。
【請求項１９】
前記複数のその他のビデオ画像の異なるそれぞれを、前記スワイプ動作の前記可能性として考えられる異なる起点、前記可能性として考えられる異なる方向および前記可能性として考えられる異なる幅の異なる組合せと関連付けるステップをさらに含む、請求項１３に記載の方法。
【請求項２０】
前記供給するステップが、前記スワイプ動作の前記方向に概ね対応する方向に前記選択したビデオ画像を移動させることによって、前記第１のビデオ画像の前記一部分を徐々に置換するステップをさらに含み、
前記終了するステップが、前記スワイプ動作の前記方向とほぼ反対の方向に前記選択したビデオ画像を移動させることによって、前記選択したビデオ画像を前記第１のビデオ画像の前記一部分で徐々に置換するステップを含む、請求項１４に記載の方法。
【手続補正２】
【補正対象書類名】明細書
【補正対象項目名】００８４
【補正方法】変更
【補正の内容】
【００８４】
本発明の構成によれば、ユーザは、例えばスポーツ、ニュースまたは娯楽のチャネル（ただしこれらに限定されない）を有利には見ることができ、その他のビデオをピーキングして、点数および速報を確認する、または娯楽ビデオ中のコマーシャルが終了したかどうかを判定して１次ビデオ・ソースに戻ることができる。
本発明は以下の態様を含む。
（付記１）
タッチ作動可能なスクリーンと、
スワイプ動作の方向の違い、前記スワイプ動作の長さの違い、および前記スワイプ動作の幅の違いのうちの少なくとも１つを区別することも含めて、前記スクリーンの複数の領域を横切る前記スワイプ動作を検出することができるタッチ・スクリーン・プロセッサと、
第１のビデオ画像を選択的に前記スクリーンに供給し、複数のその他のビデオ画像のうちの少なくとも１つを選択的に前記スクリーンに供給するビデオ信号プロセッサと、を含み、
前記複数のその他のビデオ画像のうちの前記少なくとも１つが、前記スクリーンを横切るスワイプ動作が予め定められた範囲の前記方向、予め定められた範囲の前記長さおよび予め定められた範囲の前記幅で発生したのに応答して、予め定められた時間間隔の間だけ選択的に前記スクリーンに供給され、
前記スクリーンに供給される前記その他のビデオ画像が、前記第１のビデオ画像の一部分の代わりに表示される、ビデオ・ディスプレイのユーザ・インタフェース。
（付記２）
前記タッチ・スクリーン・プロセッサが、前記スワイプ動作の方向の違い、前記スワイプ動作の長さの違い、および前記スワイプ動作の幅の違いのうちの少なくとも２つを区別することも含めて、前記スクリーンの複数の領域を横切る前記スワイプ動作を検出することができる、付記１に記載のユーザ・インタフェース。
（付記３）
前記タッチ・スクリーン・プロセッサが、前記スワイプ動作の方向の違い、前記スワイプ動作の長さの違い、および前記スワイプ動作の幅の違いのそれぞれを区別することも含めて、前記スクリーンの複数の領域を横切る前記スワイプ動作を検出することができる、付記１に記載のユーザ・インタフェース。
（付記４）
前記スクリーンに供給される前記その他のビデオ画像が、前記スワイプ動作の前記方向に概ね対応するスイープ動作によって前記第１のビデオ画像の前記一部分を押し出す、付記１に記載のユーザ・インタフェース。
（付記５）
前記時間間隔の最後に、前記スクリーンに供給される前記その他のビデオ画像が、前記スワイプ動作の前記方向と反対の方向に概ね対応するスイープ動作によって視野から消える、付記２に記載のユーザ・インタフェース。
（付記６）
前記スクリーンが、認識可能な辺を有し、前記スクリーンの各辺が、前記スワイプ動作のうちの少なくとも１つの始点である、付記１に記載のユーザ・インタフェース。
（付記７）
前記スクリーンの各辺が、前記スワイプ動作のうちの少なくとも２つの始点であり、
前記スワイプ動作の幅と前記スワイプ動作の方向の異なる組合せによって、前記スクリーンに選択的に供給される前記複数のその他のビデオ画像が変わる、付記２に記載のユーザ・インタフェース。
（付記８）
前記スクリーンの各辺が、前記スワイプ動作のうちの少なくとも３つの始点であり、
前記スワイプ動作の幅と前記スワイプ動作の方向の異なる組合せによって、前記スクリーンに選択的に供給される前記複数のその他のビデオ画像が変わる、付記３に記載のユーザ・インタフェース。
（付記９）
前記スクリーンが、ほぼ長方形であり、
前記スワイプ動作の幅と前記スワイプ動作の方向の前記異なる組合せによって、少なくとも８つの異なるビデオ・ソースのうちの何れか１つから選択された前記その他のビデオ画像を与えることができる、付記８に記載のユーザ・インタフェース。
（付記１０）
前記少なくとも８つの異なるビデオ・ソースを、前記スワイプ動作の幅と前記スワイプ動作の方向の少なくとも８つの異なる組合せに割り当てることができる、付記８に記載のユーザ・インタフェース。
（付記１１）
スワイプ動作の最後に予め定められた時間間隔の間だけ前記スクリーンに対する押圧を維持することにより、前記第１のビデオ画像が前記その他のビデオ画像で置き換えられる、付記１に記載のユーザ・インタフェース。
（付記１２）
前記スクリーン上で前記その他のビデオ画像のうちの１つの表示を開始するのに必要な長さより長いスワイプ動作により、前記第１のビデオ画像が前記その他のビデオ画像のうちの前記１つで置き換えられる、付記３に記載のユーザ・インタフェース。
（付記１３）
タッチ作動可能なスクリーンを有するビデオ・ディスプレイを制御する方法であって、
前記スクリーン上に第１のビデオ画像を表示するステップと、
前記スクリーンの第１の領域を横切るスワイプ動作を検出するステップと、
前記スワイプ動作の可能性として考えられる異なる起点、前記スワイプ動作の可能性として考えられる異なる方向、および前記スワイプ動作の可能性として考えられる異なる幅を区別するステップと、
前記区別するステップに応答して複数のその他のビデオ画像のうちの少なくとも１つを選択するステップと、
前記選択したビデオ画像を、予め定められた時間間隔の間だけ前記第１のビデオ画像の一部分の代わりに前記スクリーンに供給するステップと、
前記時間間隔の満了時に前記供給ステップを終了するステップと、を含む、方法。
（付記１４）
前記スワイプ動作の少なくとも１つの長さの範囲を区別するステップをさらに含む、付記１３に記載の方法。
（付記１５）
前記スワイプ動作の少なくとも１つの長さの範囲を区別する前記ステップが、
第１の長さの前記スワイプ動作が第１の長さの範囲内で起こったのを検出したのに応答して、前記供給するステップを開始すること、および
第２の長さの前記スワイプ動作が前記第１の範囲を除く第２の長さの範囲内で起こったのを検出したのに応答して、前記第１のビデオ画像を前記選択したビデオ画像で置き換えることを含む、付記１４に記載の方法。
（付記１６）
前記スワイプ動作以外のユーザ入力を検出したのに応答して、前記第１のビデオ画像を前記選択したビデオ画像で置き換えるステップを含む、付記１３に記載の方法。
（付記１７）
前記供給するステップが、前記スワイプ動作の前記方向に概ね対応する方向に前記選択したビデオ画像を移動させることによって、前記第１のビデオ画像の前記一部分を徐々に置換するステップをさらに含む、付記１３に記載の方法。
（付記１８）
前記終了するステップが、前記スワイプ動作の前記方向とほぼ反対の方向に前記選択したビデオ画像を移動させることによって、前記選択したビデオ画像を前記第１のビデオ画像の前記一部分で徐々に置換するステップを含む、付記１３に記載の方法。
（付記１９）
前記複数のその他のビデオ画像の異なるそれぞれを、前記スワイプ動作の前記可能性として考えられる異なる起点、前記可能性として考えられる異なる方向および前記可能性として考えられる異なる幅の異なる組合せと関連付けるステップをさらに含む、付記１３に記載の方法。
（付記２０）
前記供給するステップが、前記スワイプ動作の前記方向に概ね対応する方向に前記選択したビデオ画像を移動させることによって、前記第１のビデオ画像の前記一部分を徐々に置換するステップをさらに含み、
前記終了するステップが、前記スワイプ動作の前記方向とほぼ反対の方向に前記選択したビデオ画像を移動させることによって、前記選択したビデオ画像を前記第１のビデオ画像の前記一部分で徐々に置換するステップを含む、付記１４に記載の方法。